(57)【要約】  点灯アセンブリは、全内部反射によって光を伝搬し、その主面上に光出力領域を有する光ガイドを含む。点灯アセンブリは、主面が光ガイドの主面に並置されかつ一致する光学アジャスタも含む。光学アジャスタは第１の領域および第２の領域を有し、第１の領域は光修正特性を有する。光出力領域から発せられた光を第１の領域と第２の領域との間で選択的に配分するように、光学アジャスタおよび光出力領域を互いに対して可変に位置決めすることができる。このように、第１の領域に配分された光は光修正特性によって修正され、したがって点灯アセンブリから出力される光は、光学アジャスタと光ガイドとの相対的な位置決めに基づいて修正される。
2014508387.tif 000002
【特許請求の範囲】
【請求項１】
点灯アセンブリであって、
全内部反射によって光がその間を伝搬する対向する主面、光入力端縁、および主面の一方上の光出力領域を含む光ガイドと、
主面が前記光ガイドの主面に並置されかつ一致する光学アジャスタとを備え、前記光学アジャスタは第１の領域および第２の領域を有し、前記第１の領域は光修正特性を有し、前記光出力領域から発せられた光を前記第１の領域と前記第２の領域との間で選択的に配分するように、前記光学アジャスタおよび前記光出力領域を互いに対して可変に位置決めすることができ、前記第１の領域に配分された光はその光修正特性によって修正され、したがって前記点灯アセンブリから出力される光の特徴は、前記光学アジャスタと前記光出力領域との相対的な位置決めに基づいて修正される、点灯アセンブリ。
【請求項２】
前記第１の領域に配分された光は、前記第１の領域と重なり合わされた前記光出力領域の第１のエリアにおいて前記光出力領域から発せられ、前記第２の領域に配分された光は、前記第２の領域と重なり合わされた前記光出力領域の第２のエリアにおいて前記光出力領域から発せられ、前記第１の領域および前記第２の領域が前記光出力領域と重なる量は、前記光学アジャスタと前記光ガイドとの相対的な位置決めに依存する、請求項１に記載の点灯アセンブリ。
【請求項３】
前記第１の領域、前記第２の領域、および前記光出力領域は同じ寸法および形状を有する、請求項２に記載の点灯アセンブリ。
【請求項４】
前記第１の領域と前記光出力領域とは同じ寸法および形状を有する、請求項２に記載の点灯アセンブリ。
【請求項５】
前記点灯アセンブリから出力される光の修正される特性はスペクトルである、請求項１に記載の点灯アセンブリ。
【請求項６】
前記点灯アセンブリから出力される光の修正される特性は色温度である、請求項１に記載の点灯アセンブリ。
【請求項７】
前記点灯アセンブリから出力される光の修正される特性は光線角度分布である、請求項１に記載の点灯アセンブリ。
【請求項８】
前記光ガイドおよび前記光学アジャスタの少なくとも一方を他方に対して移動させるための手動操作機構をさらに備える、請求項１に記載の点灯アセンブリ。
【請求項９】
前記光ガイドおよび前記光学アジャスタの少なくとも一方を他方に対して移動させるための電動機構をさらに備える、請求項１に記載の点灯アセンブリ。
【請求項１０】
前記点灯アセンブリは、前記光入力端縁を通って前記光ガイドに光を入力するように配置された光源をさらに備える、請求項１の点灯アセンブリ。
【請求項１１】
前記光源は固体光源である、請求項１０に記載の点灯アセンブリ。
【請求項１２】
前記光ガイドは、前記光出力領域を規定するために、前記光ガイドの主面の少なくとも一方において光抽出素子の領域を追加的に含む、請求項１に記載の点灯アセンブリ。
【請求項１３】
前記光抽出素子は光散乱素子である、請求項１２に記載の点灯アセンブリ。
【請求項１４】
前記光抽出素子は明確に規定された形状を有する、請求項１２に記載の点灯アセンブリ。
【請求項１５】
前記光抽出素子はマイクロ光学素子である、請求項１２に記載の点灯アセンブリ。
【請求項１６】
前記光ガイドは、
主面の一方に隣接し、前記光出力領域を規定するように構成された補助光学アジャスタと、
前記光ガイドの主面の少なくとも一方における前記光抽出素子とを追加的に含み、前記光抽出素子は、前記補助光学アジャスタに隣接する前記光ガイドの主面の前記一方の領域において前記光ガイドから光を抽出するように構成される、請求項１に記載の点灯アセンブリ。
【請求項１７】
光が取出される領域は前記光出力領域よりも大きい、請求項１６に記載の点灯アセンブリ。
【請求項１８】
前記光ガイドおよび前記光学アジャスタは平坦である、請求項１に記載の点灯アセンブリ。
【請求項１９】
前記光ガイドは湾曲し、前記光学アジャスタは前記光ガイドの曲率と一致する、請求項１に記載の点灯アセンブリ。
【請求項２０】
前記光ガイドおよび前記光学アジャスタは、同軸で中空の円筒である、請求項１９に記載の点灯アセンブリ。
【請求項２１】
前記光ガイドおよび前記光学アジャスタは、中空の截頭円錐形であり、同軸である、請求項１９に記載の点灯アセンブリ。
【請求項２２】
前記第２の領域は反射性であり、前記第２の領域に入射した光を前記光ガイドを通って反射し返す、請求項１に記載の点灯アセンブリ。
【請求項２３】
反射光を拡散するために、前記光ガイドの、前記光学アジャスタに対向する側で前記光ガイドに隣接する拡散性光学部品をさらに備える、請求項２２に記載の点灯アセンブリ。
【請求項２４】
前記光ガイドから出る反射光が入射する光学部品を追加的に備え、前記光学部品は、光方向変換性、偏光性、反射偏光性、強度低下性、波長シフト性、および色減衰性のうち少なくとも１つである、請求項２２に記載の点灯アセンブリ。
【請求項２５】
前記点灯アセンブリは、主面が前記光ガイドの主面の他方に並置されかつ一致する追加的な光学アジャスタをさらに備え、前記追加的な光学アジャスタは第１の領域および第２の領域を有し、前記追加的な光学アジャスタの前記第１の領域は光修正特性を有し、前記光ガイドによって出力され、前記追加的な光学アジャスタに入射する光を前記追加的な光学アジャスタの前記第１の領域と前記追加的な光学アジャスタの前記第２の領域との間で選択的に配分するように、前記追加的な光学アジャスタおよび前記光ガイドを互いに対して可変に位置決めすることができ、前記追加的な光学アジャスタの前記第１の領域に配分された光はその光修正特性によって修正され、したがって前記点灯アセンブリから出力される光の特徴は、前記追加的な光学アジャスタと前記光ガイドとの相対的な位置決めに基づいても修正される、請求項１〜２４のうちいずれか１項に記載の点灯アセンブリ。
【請求項２６】
前記光ガイドは前記第２の主面上に第２の光出力領域を追加的に含む、請求項２５に記載の点灯アセンブリ。
【請求項２７】
前記追加的な光学アジャスタと前記光ガイドとの相対的な位置決めは、前記光学アジャスタと前記光ガイドとの相対的な位置決めに依存しない、請求項２５に記載の点灯アセンブリ。
【請求項２８】
前記追加的な光学アジャスタと前記光ガイドとの相対的な位置決めは、前記光学アジャスタと前記光ガイドとの相対的な位置決めに依存する、請求項２５に記載の点灯アセンブリ。
【請求項２９】
前記追加的な光学アジャスタは前記光ガイドと同軸で中空の円筒である、請求項２５に記載の点灯アセンブリ。
【請求項３０】
前記追加的な光学アジャスタは、中空の截頭円錐形であり、かつ前記光ガイドと同軸である、請求項２５に記載の点灯アセンブリ。
【請求項３１】
前記第１の領域の光学修正特性は、反射性、拡散性、光方向変換性、偏光性、反射偏光性、強度低下性、波長シフト性、および色減衰性のうち少なくとも１つである、請求項１〜２４のうちいずれか１項に記載の点灯アセンブリ。
【請求項３２】
前記第２の領域は鏡面透過性であるかまたは、前記第１の領域とは異なる、反射性、拡散性、光方向変換性、偏光性、反射偏光性、強度低下性、波長シフト性、および色減衰性のうち少なくとも１つである光学修正特性を有する、請求項３１に記載の点灯アセンブリ。
【請求項３３】
前記第１の領域は拡散性であり、前記第２の領域は鏡面透過性であるかまたは光方向変換性である、請求項１に記載の点灯アセンブリ。
【請求項３４】
前記第１の領域は反射性であり、前記第２の領域は鏡面透過性であるかまたは光方向変換性である、請求項１に記載の点灯アセンブリ。
【請求項３５】
前記第１の領域は反射性であり、前記第２の領域は拡散性である、請求項１に記載の点灯アセンブリ。
【請求項３６】
電球であって、
前記電球を機械的に取付け、かつ電力を受けるように構成されたベースと、
前記ベースに電気的に結合された光源と、
対向する主面および光入力端縁を有する光ガイドとを備え、前記光ガイドは前記ベースに結合され、前記光入力端縁において前記光源から光を受取るように配置され、光は全内部反射によって前記光ガイドに沿って伝搬し、前記光ガイドは主面の一方上に光出力領域を含み、さらに、
主面が前記光ガイドの主面の他方に並置されかつ一致する光学アジャスタを備え、前記光学アジャスタは第１の領域および第２の領域を有し、前記第１の領域は光修正特性を有し、前記光出力領域から発せられた光を前記第１の領域と前記第２の領域との間で選択的に配分するように、前記光学アジャスタおよび前記光出力領域を互いに対して可変に位置決めすることができ、前記第１の領域に配分された光はその光修正特性によって修正され、したがって前記電球から出力される光の特徴は、前記光学アジャスタと前記光出力領域との相対的な位置決めに基づいて修正される、電球。
【請求項３７】
前記光源に熱的に結合されたヒートシンクをさらに備える、請求項３６に記載の電球。
【請求項３８】
前記電球から出力される光の修正される特性はスペクトルである、請求項３６に記載の電球。
【請求項３９】
前記電球から出力される光の修正される特性は色温度である、請求項３６に記載の電球。
【請求項４０】
前記電球から出力される光の修正される特性は光線角度分布である、請求項３６に記載の電球。
【請求項４１】
前記第１の領域に配分された光は、前記第１の領域と重なり合わされた前記光出力領域の第１のエリアにおいて前記光出力領域から発せられ、
前記第２の領域に配分された光は、前記第２の領域と重なり合わされた前記光出力領域の第２のエリアにおいて前記光出力領域から発せられ、
前記第１の領域および前記第２の領域が前記光出力領域と重なる量は、前記光学アジャスタと前記光ガイドとの相対的な位置決めに依存する、請求項３６に記載の電球。
【請求項４２】
前記第１の領域、前記第２の領域、および前記光出力領域は同じ寸法および形状を有する、請求項４１に記載の電球。
【請求項４３】
前記第１の領域と前記光出力領域は同じ寸法および形状を有する、請求項４１に記載の電球。
【請求項４４】
前記光ガイドと前記光学アジャスタとのうち少なくとも一方を他方に対して移動させるための手動操作機構をさらに備える、請求項３６に記載の電球。
【請求項４５】
前記光ガイドと前記光学アジャスタとのうち少なくとも一方を他方に対して移動させるための電動機構をさらに備える、請求項３６に記載の電球。
【請求項４６】
前記光源は固体光源である、請求項３６に記載の電球。
【請求項４７】
前記光ガイドは、前記光出力領域を規定するために、前記光ガイドの主面の少なくとも一方において前記光抽出素子の領域を追加的に含む、請求項３６に記載の電球。
【請求項４８】
前記光抽出素子は光散乱素子である、請求項４７に記載の電球。
【請求項４９】
前記光抽出素子は明確に規定された形状を有する、請求項４７に記載の電球。
【請求項５０】
前記光抽出素子はマイクロ光学素子である、請求項４７に記載の電球。
【請求項５１】
前記光ガイドは、
主面の一方に隣接し、前記光出力領域を規定するように構成された補助光学アジャスタと、
前記光ガイドの主面の少なくとも一方における光抽出素子とを追加的に含み、前記光抽出素子は、前記補助光学アジャスタに隣接する前記光ガイドの主面の一方の領域において前記光ガイドから光を抽出するように構成される、請求項３６に記載の電球。
【請求項５２】
光が取出される領域は前記光出力領域よりも大きい、請求項５１に記載の電球。
【請求項５３】
前記光ガイドおよび前記光学アジャスタは平坦である、請求項３６に記載の電球。
【請求項５４】
前記光ガイドは湾曲し、前記光学アジャスタは前記光ガイドの曲率と一致する、請求項３６に記載の電球。
【請求項５５】
前記光ガイドおよび前記光学アジャスタは同軸で中空の円筒である、請求項５４に記載の電球。
【請求項５６】
前記光ガイドおよび前記光学アジャスタは中空の截頭円錐形であり、同軸である、請求項５４に記載の電球。
【請求項５７】
前記第２の領域は反射性であり、前記第２の領域に入射した光を前記光ガイドを通って反射し返す、請求項３６に記載の電球。
【請求項５８】
反射光を拡散するために、前記光ガイドの、前記光学アジャスタに対向する側で前記光ガイドに隣接する拡散性光学部品をさらに備える、請求項５７に記載の電球。
【請求項５９】
前記光ガイドから出る反射光が入射する光学部品を追加的に備え、前記光学部品は、光方向変換性、偏光性、反射偏光性、強度低下性、波長シフト性、および色減衰性のうち少なくとも１つである、請求項５７に記載の電球。
【請求項６０】
前記電球は、主面が前記光ガイドの主面の他方に並置されかつ一致する追加的な光学アジャスタをさらに備え、前記追加的な光学アジャスタは第１の領域および第２の領域を有し、前記追加的な光学アジャスタの前記第１の領域は光修正特性を有し、前記光ガイドによって出力され、前記追加的な光学アジャスタに入射する光を前記追加的な光学アジャスタの前記第１の領域と前記追加的な光学アジャスタの前記第２の領域との間で選択的に配分するように、前記追加的な光学アジャスタおよび前記光ガイドを互いに対して可変に位置決めすることができ、前記追加的な光学アジャスタの前記第１の領域に配分された光はその光修正特性によって修正され、したがって前記電球から出力される光の特徴は、前記追加的な光学アジャスタと前記光ガイドとの相対的な位置決めに基づいても修正される、請求項３６〜５９のうちいずれか１項に記載の電球。
【請求項６１】
前記光ガイドは主面の他方上に第２の光出力領域を追加的に備える、請求項６０に記載の電球。
【請求項６２】
前記追加的な光学アジャスタと前記光ガイドとの相対的な位置決めは、前記光学アジャスタと前記光ガイドとの相対的な位置決めに依存しない、請求項６０に記載の電球。
【請求項６３】
前記追加的な光学アジャスタと前記光ガイドとの相対的な位置決めは、前記光学アジャスタと前記光ガイドとの相対的な位置決めに依存する、請求項６０に記載の電球。
【請求項６４】
前記追加的な光学アジャスタは前記光ガイドと同軸で中空の円筒である、請求項６０に記載の電球。
【請求項６５】
前記追加的な光学アジャスタは中空の截頭円錐形であり、前記光ガイドと同軸である、請求項６０に記載の電球。
【請求項６６】
前記第１の領域の光学修正特性は、反射性、拡散性、光方向変換性、偏光性、反射偏光性、強度低下性、波長シフト性、および色減衰性のうち少なくとも１つである、請求項３６〜５９のうちいずれか１項に記載の電球。
【請求項６７】
前記第２の領域は鏡面透過性であるかまたは、前記第１の領域とは異なる、反射性、拡散性、光方向変換性、偏光性、反射偏光性、強度低下性、波長シフト性、および色減衰性のうち少なくとも１つである光学修正特性を有する、請求項６６に記載の電球。
【請求項６８】
前記第１の領域は拡散性であり、前記第２の領域は鏡面透過性であるかまたは光方向変換性である、請求項３６の電球。
【請求項６９】
前記第１の領域は反射性であり、前記第２の領域は鏡面透過性であるかまたは光方向変換性である、請求項３６の電球。
【請求項７０】
前記第１の領域は反射性であり、前記第２の領域は拡散性である、請求項３６に記載の電球。
【請求項７１】
電球であって、
前記電球を機械的に取付け、かつ電力を受けるように構成されたベースと、
前記ベースに電気的に結合された光源と、
対向する主面、光入力端縁、および前記光入力端縁に対向する遠位端縁を有する光ガイドとを備え、前記光ガイドは前記ベースに結合され、前記光入力端縁において前記光源から光を受取るように配置され、光は全内部反射によって前記光ガイドに沿って伝搬し、当該光の少なくともいくらかは前記主面の少なくとも一方を通って前記光ガイドから取出され、前記主面の当該少なくとも一方を通って取出されない光は前記遠位端縁に入射し、前記遠位端縁は、入射光がそこを通って前記光ガイドから出る第一の遠位端縁領域および第二の遠位端縁領域を含み、さらに、
主面が前記光ガイドの前記遠位端縁に並置される光学アジャスタを備え、前記光学アジャスタは第１のアジャスタ領域および第２のアジャスタ領域を有し、少なくとも前記第１のアジャスタ領域は光修正特性を有し、前記第一の遠位端縁領域から発せられた光を前記第１のアジャスタ領域と前記第２のアジャスタ領域との間で選択的に配分するように、前記光学アジャスタおよび前記第一の遠位端縁領域を互いに対して可変に位置決めすることができ、前記第１のアジャスタ領域に配分された光はその光修正特性によって修正され、したがって前記電球から出力される光の特徴は、前記光学アジャスタと前記第１の遠位端縁領域との相対的な位置決めに基づいて修正される、電球。
【請求項７２】
前記第１のアジャスタ領域の光修正特性は反射性であり、前記第１の遠位端縁領域を通って前記光ガイドから出て前記第１のアジャスタ領域に入射する光は、前記光ガイドに反射し返され、反射光は、前記光入力端縁に向かって前記光ガイドに沿って伝搬する、請求項７１に記載の電球。
【請求項７３】
前記第２の遠位端縁領域は反射性であり、前記第２の遠位端縁領域に入射する光は反射され、前記光入力端縁に向かって前記光ガイドに沿って伝搬する、請求項７２に記載の電球。
【請求項７４】
前記光源に熱的に結合されたヒートシンクをさらに備える、請求項７１に記載の電球。
【請求項７５】
前記光源は固体光源である、請求項７１に記載の電球。
【請求項７６】
前記光ガイドは円筒であり、前記光学アジャスタはリングである、請求項７１に記載の電球。
【請求項７７】
前記第１のアジャスタ領域の光学修正特性は、反射性、拡散性、光方向変換性、偏光性、反射偏光性、強度低下性、波長シフト性、および色減衰性のうち少なくとも１つである、請求項７１に記載の電球。
【請求項７８】
前記第２のアジャスタ領域は鏡面透過性であり、前記第１のアジャスタ領域とは異なる、反射性、拡散性、光方向変換性、偏光性、反射偏光性、強度低下性、波長シフト性、および色減衰性のうち少なくとも１つである光学修正特性を有する、請求項７７に記載の電球。
【請求項７９】
前記第１の遠位端縁領域は、反射性、拡散性、光方向変換性、偏光性、反射偏光性、強度低下性、波長シフト性、および色減衰性のうち少なくとも１つである光修正特性を有する、請求項７１に記載の電球。
【発明の詳細な説明】
【背景技術】
【０００１】
関連する出願データ
本願は、２０１１年３月１７日に提出された米国仮特許出願番号第６１／４５３，７４５号の利益を主張し、２０１１年３月１８日に提出された米国仮特許出願番号第６１／４５４，２２８号の利益を主張し、かつ２０１２年２月１３日に提出された米国仮特許出願番号第６１／５９７，８６７号の利益を主張する。これらの開示全体を参照によってここに組込む。
【０００２】
背景
エネルギ効率は、エネルギを消費する装置にとって関心領域となっている。エネルギを消費する装置の一種は、点灯装置である。発光ダイオード（ＬＥＤ）は、点灯装置にとってエネルギ効率の良い光源として将来性がある。しかし、ＬＥＤまたは同様の光源を使用する点灯装置にとって、色および光出力分布に対する制御が課題である。
【図面の簡単な説明】
【０００３】
【図１】光源アセンブリを示すために電球のハウジングの一部分が切取られた、調整可能な光出力を有する例示的な点灯アセンブリを表わす電球の概略図である。
【図２】調整可能な光出力を有する別の例示的な点灯アセンブリを表わす照明器具の概略図である。
【図３】調整可能な光出力を有する点灯アセンブリの実施例の一部を示す分解図である。
【図４】調整可能な光出力を有する点灯アセンブリの実施例の一部を示す分解図である。
【図５】調整可能な光出力を有する点灯アセンブリの実施例の一部を示す分解図である。
【図６Ａ】調整可能な光出力を有する点灯アセンブリの実施例の一部を示す分解図である。
【図６Ｂ】調整可能な光出力を有する点灯アセンブリの実施例の一部を示す分解図である。
【図６Ｃ】調整可能な光出力を有する点灯アセンブリの実施例の一部を示す分解図である。
【図７】調整可能な光出力を有する点灯アセンブリの実施例の一部を示す概略図である。
【図８Ａ】調整可能な光出力を有する点灯アセンブリの実施例の一部を示す概略図である。
【図８Ｂ】点灯アセンブリからそれぞれの方向に光を向けるように構成された場合の、図８Ａの点灯アセンブリの部分断面図である。
【図８Ｃ】点灯アセンブリからそれぞれの方向に光を向けるように構成された場合の、図８Ａの点灯アセンブリの部分断面図である。
【図９】調整可能な光出力を有する点灯アセンブリの実施例の一部を示す概略図である。
【図１０】調整可能な光出力を有する別の例示的な点灯アセンブリの分解図である。
【図１１】図１０の点灯アセンブリのための光学アジャスタの平面図である。
【図１２】図１０の点灯アセンブリのための別の光学アジャスタの平面図である。
【発明を実施するための形態】
【０００４】
詳細な説明
図面を参照して実施例を説明する。全体を通じて、同じ要素に言及するのに同じ参照符号が使用される。図は必ずしも縮尺通りではない。一実施例について説明および／または例示される特徴は、１つ以上の他の実施例において同じようにもしくは同様に、かつ／または他の実施例の特徴と組合わせてもしくはその代わりに使用され得る。
【０００５】
この開示の局面は点灯アセンブリに関する。図１に例示されるように、ある種類の点灯アセンブリ１０は電球１２である。図２に例示されるように、別の種類の点灯アセンブリ１０は照明器具１４である。
【０００６】
以下でより詳しく説明するように、点灯アセンブリは、全内部反射によって光を伝搬するための光ガイドを含む。光ガイドは、その主面上に光出力領域を有する。点灯アセンブリは、主面が光ガイドの主面に並置され、かつ表面輪郭が一致する光学アジャスタも含む。光学アジャスタは第１の領域および第２の領域を有し、第１の領域は光修正特性を有する。光出力領域から発せられた光を第１の領域と第２の領域との間で選択的に配分するように、光学アジャスタおよび光ガイドの光出力領域を互いに対して可変に位置決めすることができる。このように、第１の領域に割当てられた光はその光修正特性によって修正され、したがって点灯アセンブリから出力される光の特性は、光学アジャスタと光出力領域との相対的な位置決めに基づいて修正される。
【０００７】
電球１２の場合、電球１２は、機械的に電球を取付け、かつ電力を受けるように構成されたベースを追加的に含む。
【０００８】
図３を追加的に参照して、電球１２にせよ照明器具１４にせよ別の種類の点灯装置にせよ、点灯アセンブリ１０についてより詳細に説明する。点灯アセンブリ１０は光源アセンブリ１６を含む。光源アセンブリ１６は１つ以上の光源１８を含む。各光源１８は、典型的に１つ以上の固体装置として具体化される。一実施例では、光源１８はプリント回路基板（ＰＣＢ）１９（図１）に搭載される。
【０００９】
例示的な光源１８は、ＬＥＤ、レーザダイオード、有機ＬＥＤ（ＯＬＥＤ）などの固体装置を含む。光源１８が１つ以上のＬＥＤである実施例では、ＬＥＤはトップファイア（top-fire）ＬＥＤまたはサイドファイア（side-fire)型ＬＥＤであり得、広域スペクトルＬＥＤ（たとえば白色光を発する）、または所望の色やスペクトルの光（たとえば赤色光、緑色光、青色光、または紫外線）を発するＬＥＤであり得る。一実施例では、光源１８は、５００ナノメートル（ｎｍ）を超える波長で動作可能な有効強度を有しない光を発する（すなわち、光源１８は主に５００ｎｍ未満の波長で発光する）。特に例示しないが、光源アセンブリ１６は、光源１８を保持するために構造的な構成要素（たとえばＰＣＢ１９）も含む。光源アセンブリ１６は、回路類、光源１８を制御しかつ駆動するための電源および／または電子回路、ヒートシンク、ならびにいずれかの他の適切な構成要素も追加的に含み得る。
【００１０】
点灯アセンブリ１０は光ガイド２０も含む。光源１８からの光は光ガイド２０に入力される。光ガイド２０は、たとえばアクリル樹脂、ポリカーボネート、ガラス、または別の適切な材料からなる中実品である。光ガイド２０は、２つ以上の層を有する多層光ガイドでもあり得る。光ガイド２０は、対向する主面２２および２４を有する。光ガイド２０の構造に依存して、光ガイドは少なくとも１つの端縁を有する。たとえば、光ガイド２０がドーム状に形成される場合、光ガイドは１つの端縁を有する。光ガイド２０が（たとえば図１および図８Ａに示されるように）中空の円筒である場合、（たとえば図７に示されるように）截頭円錐形である場合、截頭ピラミッドである場合、ドームの頂点に穴が開けられたドーム状であるかまたは別の同様の形状である場合、光ガイドは２つの対向する端縁を有する。電球１２または照明器具１４のいずれかについて、球体または従来の白熱電球の球根状の形状に近い形状などの他の光ガイド２０の形状が可能である。一実施例では、電球構造または照明器具構造は、三次元の幾何学的な（たとえば多角形）構造に配置される平坦なまたは湾曲した光ガイド２０を用いて設定され得る。光ガイド２０が（たとえば図２および３に示されるように）矩形である場合、光ガイド２０は４つの端縁を有する。光ガイド２０のための他の形状は、対応する数の端縁をもたらす。光ガイド２０の形状に依存して、各端縁は直線経路または湾曲した経路に従い、隣接する端縁は頂点で接触するかまたは曲線で接合し得る。
【００１１】
光ガイドの端縁のうちの１つは、光入力端縁２６として機能する。いくつかの実施例では、光入力端縁２６は、（たとえば図１〜図５および図７〜図９に示されるように）光ガイド２０の外側端縁である。別の実施例では、光入力端縁２６は光ガイド２０の内側端縁であり、光ガイド２０に完全に囲まれた端縁であって、通常は（たとえば図６Ａに示されるように）光ガイド２０の主面どうしの間に延在する穴４８の端縁である。光源１８から出力される光は、光入力端縁２６の方に向けられる。光ガイド２０に光を入力するのを助けるために、追加的な光学素子（たとえばレンズ、反射器など）が存在し得る。一旦光ガイド２０に入力されると、光は対向する主面２２，２４における全内部反射（ＴＩＲ）によって光ガイドを通って伝搬する。本開示において、光ガイド２０の光入力表面はすべて光入力端縁であるとみなされ、これは、たとえ当該表面が光ガイドの主面２２，２４の一方に配置される場合や、当該主面が、光が主面２２，２４において全内部反射によって光ガイド２０に沿って伝搬できるように光を光ガイドに導入する光回転および／または均質化構造の一部を形成する場合にも当てはまる。
【００１２】
主面２２，２４の各々の長さおよび幅寸法は、光ガイド２０の厚みよりもはるかに大きく、典型的に１０倍以上大きい。たとえば、図２に示される矩形の実施例では、光ガイド２０の長さ（光入力端縁２６から光入力端縁２６の遠位の反対側の端縁まで測定）および幅（光入力端縁２６に沿って測定）は両方とも光ガイド２０の厚みよりもはるかに大きい。厚みは、主面と直交する方向における光ガイド２０の寸法である。光ガイド２０の厚みは、たとえば約０．１ミリメートル（ｍｍ）〜約１０ｍｍであり得る。光ガイド２０は剛性または可撓性であり得る。
【００１３】
光ガイド２０は、主面２２，２４のうち少なくとも一方内またはその上に光抽出素子２７を含む。主面２２，２４内またはその上にある光抽出素子２７は、主面２２，２４「に」あるものとして言及される。各光抽出素子２７は、光抽出素子２７に入射する伝搬光の全内部反射を乱すように機能する。一実施例では、光抽出素子２７は、光が対向する主面を通って光ガイド２０から出るように、対向する主面に向けて光を反射する。代替的に、光抽出素子２７は、光抽出素子２７を通って光抽出素子２７を有する光ガイド２０の主面２２，２４から外へ光を伝達する。別の実施例では、これらの種類の光抽出素子２７が両方とも存在する。さらに別の実施例では、光抽出素子２７は光の一部を反射し、そこに入射する光の残りの部分を屈折させる。したがって、光抽出素子２７は、主面２２，２４の一方または両方から光を抽出するように構成される。
【００１４】
光出力領域２８は、主面２２，２４の一方もしくは両方の一部またはすべてを占め得る。図３に示された例では、光出力領域２８の多くのインスタンスが主面２２の一部を占める。図９に示された例では、一つの光出力領域２８が全主面２２，２４を占める。
【００１５】
図３に示された例では、光抽出素子２７は、多数の別個のかつ離間された光出力領域２８を形成するためのパターンに配置され、光出力領域２８の各々は主面２２，２４の一方または両方から光を発する。例示の目的のため、各光出力領域２８は、添付の図において、光主面２２，２４の光がそこを通って発せられる部分上に示されたハッチングによって表される。
【００１６】
各光出力領域２８の光抽出素子２７は、光がそこを通って発せられる主面２２，２４の一方もしくは両方に、または対向する主面２２，２４にあり得る。このような光抽出素子２７を有する光ガイドは典型的に、スタンピング（stamping）、成形、エンボス加工、押出、レーザエッチング、化学エッチングまたは別の好適なプロセスなどの処理によって形成される。光抽出素子２７は、光ガイド２０に硬化可能材料からなる素子を堆積し、熱、紫外線または他の放射を用いて堆積材料を硬化させることによっても作製可能である。硬化可能材料は、印刷、インクジェット印刷、スクリーン印刷、または別の好適なプロセスなどの処理によって堆積可能である。代替的に、光抽出素子２７は、光ガイドの内部の主面２２，２４の間に存在し得る（たとえば、光抽出素子２７は、光ガイド内に配置された光方向変換粒子および／または空隙であり得る）。
【００１７】
光抽出素子２７は、光出力領域２８にわたって、均一な強度などの規定された強度プロファイルおよび／または規定された光線角度分布で光を抽出するように構成される。光抽出素子２７における変動を用いることで、各光出力領域２８は同じ強度プロファイルおよび／または光線角度分布を有する必要がない。強度プロファイルとは、（光出力領域２８などの）発光領域内の位置に伴う強度の変動を指す。光線角度分布とは、（光出力領域２８などの）発光領域から発せられた光の光線角度（典型的に立体角）に伴う強度の変動を指す。
【００１８】
例示的な光抽出素子２７は光散乱素子を含み、これらは典型的に、印刷した特徴、インクジェット印刷した特徴、選択的に堆積した特徴、化学的にエッチングした特徴、レーザエッチングした特徴などの、不明瞭な形状または表面組織の特徴である。他の例示的な光抽出素子２７は、Ｖ字溝、レンズ状溝などの明確に規定された形状の特徴や、マイクロ光学素子とも称される、主面２２，２４の線寸法に対して小さい明確に規定された形状の特徴を含む。マイクロ光学素子の長さおよび幅の小さい方は、光ガイド２０の長さおよび幅の大きい方の１０分の１未満であり、マイクロ光学素子の長さおよび幅の大きい方は、光ガイドの長さおよび幅の小さい方の２分の１である。マイクロ光学素子の長さおよび幅は、平坦な光ガイド２０用の光ガイド２０の主面２２，２４に平行な平面内で、または平坦でない光ガイド２０の表面輪郭に沿って測定される。
【００１９】
マイクロ光学素子は、予想通りに光を反射するように、または予想通りに光を屈折させるように成形される。しかし、マイクロ光学素子の表面の１つ以上を粗面化などによって修正して、光出力に２次的な影響を及ぼしてもよい。例示的なマイクロ光学素子が米国特許第６，７５２，５０５号に記載されているが、簡潔にするため本開示では詳細に説明しない。マイクロ光学素子は、光ガイド２から所望の光出力が達成されるように、サイズ、形状、深さもしくは高さ、密度、向き、傾斜角、または屈折率の１つ以上において変化し得る。
【００２０】
添付の図に示される各光ガイド２０に関連して具体的に例示しないが、各光ガイド２０は、説明される光取出し機能を実現するための構造で光抽出素子２７を含む。
【００２１】
示されるように、点灯アセンブリ１０は光学アジャスタ３０を含む。光学アジャスタ３０は、対向する主面３２および３４を有する。光学アジャスタ３０の主面の一方、たとえば添付の図では主面３４は、光ガイド２０の主面の一方、たとえば添付の図では主面２２に面する。主面３４は、光ガイド２０の面する主面２２に並置され、表面の輪郭が一致する。（たとえば図２および図３の例によって示されるように）光ガイド２０が平坦な実施例では、光学アジャスタ３０は平坦であり、一方の主面２２に隣接して配置される。点灯アセンブリ１０の方向付けに依存して、光学アジャスタ３０は光ガイド２０の上方、下方、または側方に配置され得る。光ガイド２０が図１に示されるような中空の円筒として構成される別の例では、光学アジャスタ３０も中空の円筒であり、光ガイド２０の内部または光ガイド２０の外側に同軸で配置される。図１および図８Ａの実施例では、光学アジャスタ３０は、主面３４が主面２２と一致した状態で光ガイド２０の外側に同軸に配置される。他の形状を有する実施例では、光学アジャスタ３０は光ガイド２０とは異なる形状を有するが、光学アジャスタ３０および光ガイド２０の対向する表面は互いに一致する。
【００２２】
光ガイド２０に面する光学アジャスタ３０の主面３４は、光ガイド２０内の全内部反射を乱さないように主面２２から離間される。一実施例では、１つ以上のスペーサ３５（たとえば図７）が光学アジャスタ３０と光ガイド２０との間に存在し、光学アジャスタ３０と光ガイド２０との間に所望の間隙を維持するのを助ける。
【００２３】
１つ以上の追加的な光学アジャスタ（たとえば光学特性を有する膜）を、光学アジャスタ３０および光ガイド２０と並行して配置してもよい。例示的な追加的な光学アジャスタについて、図６Ｂおよび図６Ｃを参照して以下により詳細に説明する。
【００２４】
光ガイド２０の各光出力領域２８について、光学アジャスタ３０は２つ以上の光学アジャスタ領域を有する。図３の実施例では、たとえば、光学アジャスタ３０は各光出力領域２８について第１の領域３６および第２の領域３８を有する。各光出力領域２８について、３つ、４つ、または他の数の光学アジャスタ領域があってもよく、各光出力領域２８は同数の光学アジャスタ領域を有する必要はない。
【００２５】
光学アジャスタ３０の領域３６，３８の少なくとも一方は光学修正特性を有する。たとえば、図３の例示された実施例では、各第１の領域３６は、光学アジャスタ３０の対応する部分上に示されたハッチングによって表される光学修正特性を有する。例示された実施例では、各第１の領域３６は同じ光学修正特性を有するが、これはそうである必要はなく、かつ／または１つ以上の第１の領域３６がいずれかの光学修正特性を有する必要はない。
【００２６】
光学修正特性は、領域に入射する光に対してその領域が有する効果によって表される。例示的な光学修正特性は、反射性、拡散性、光方向変換性、偏光性、反射偏光性、強度低下性、波長シフト性、および色減衰性を含む。波長シフトは、ここでは、材料がある波長で光を吸収し、１つ以上の異なる波長で光を再び発する処理を指すのに用いられる。波長シフトは、蛍光体材料、発光材料、量子ドット材料などの発光ナノ材料、共役高分子材料、有機蛍光染料、有機燐光染料、ランタニド添加ガーネット（lanthanide-doped garnet）などを用いて実現され得る。色減衰は、色フィルタリング材料を用いて実現され得る。この説明の目的で、たとえ鏡面透過性の材料がゼロではない入射角で材料を通過する光を屈折させたとしても、光学修正特性がないのは、光学アジャスタ３０の、鏡面透過性である領域と考えられる。各第２の領域３８も光学修正特性を有してもよいし、鏡面透過性であってもよい。例示された実施例では、第１の領域３６から第２の領域３８への光学特性の変化は急峻である。他の実施例では、第１の領域３６と第２の領域３８との間の移行は緩やかであり得る。緩やかな移行は、領域３６，３８の少なくとも一方が強度低下、波長シフト、または色減衰に関連する光学修正特性を有する場合に適切であり得るが、他の状況でも使用され得る。領域３６，３８が点灯アセンブリ１０から出力される光に及ぼす効果について、以下でより詳細に説明する。
【００２７】
図４および図５を追加的に参照して、光学アジャスタ３０および光ガイド２０は、互いに対して移動可能である。図示の例では、光学アジャスタ３０は、第１の領域３６と光出力領域２８との重なり量が調整可能であり、かつ第２の領域３８と光出力領域２８との重なり量に対応する変化が生じるように、光ガイド２０に対して軸方向に並進する（たとえば摺動する）。図５に示された例では、光出力領域２８が第１の領域３６と整列するように重なり量が調整されており、したがって光出力領域２８から発せられる光のすべてまたはほぼすべてが第１の領域３６に入射し、第１の領域の光修正特性によって修正される。図３に示された例では、光出力領域２８が第２の領域３８と整列するように重なり量が調整されており、したがって光出力領域２８から発せられる光のすべてまたはほぼすべてが第２の領域３８に入射し、もしあれば第２の領域の光修正特性によって修正される。図４に示された例では、第１の領域３６の一部分および第２の領域３８の一部分が光出力領域２８と整列し、したがって光出力領域２８によって発せられた光の一部分が第１の領域３６に入射し、第１の領域の光修正特性によって修正され、光出力領域２８によって発せられた光の一部分が第２の領域３８に入射し、もしあれば第２の領域の光修正特性によって修正される。図３〜図５では、重なり量は、光出力領域２８に対する第１の領域３６の端縁の位置を示す破線を用いて例示される。一実施例では、第１の領域３６の表面積および形状と第２の領域３８の表面積および形状とは、光出力領域２８の表面積および形状と同じである。しかし、領域３６，３８の一方または両方の表面積および形状は、光出力領域２８の表面積および形状と同じである必要はない。
【００２８】
点灯アセンブリ１０は、光学アジャスタ３０または光ガイド２０の一方を固定された位置に保持し、光学アジャスタ３０または光ガイド２０の他方の移動を可能にする。代替的に、光学アジャスタ３０および光ガイド２０の両方が移動可能である。相対的な移動により、２つの末端間のいずれかの選択的な配分において、第１の領域３６が光出力領域２８と重なる量、および相応して第２の領域３８が光出力領域２８と重なる量の調整が可能となり得る。代替的に、徐々に移動が行われ、規定された位置どうしが重なる量が調整され得る。
【００２９】
光出力領域２８から発せられる光を、第１の領域３６に入射する光の量と、第２の領域３８に入射する光の量との間で選択的に配分することが移動によって可能となる。第１の領域３６に入射する光は、第１の領域３６の光修正特性によって修正される。同様に、第２の領域３８が光修正特性を有する場合、第２の領域３８に入射する光は第２の領域３８の光修正特性によって修正される。有さない場合は、第２の領域３８に入射する光は動作可能に有効な修正なしに第２の領域から出力される。このように、点灯アセンブリ１０から出力される光は、光学アジャスタ３０と光ガイド２０の光出力領域２８との相対的な位置決めに基づいて修正される。
【００３０】
一実施例では、相対的な位置決めはユーザによって手動で変更される。図１に示された例では、点灯アセンブリ１０は、光ガイド２０および光学アジャスタ３０の一方または両方を互いに対して移動させて光ガイド２０（およびしたがって光出力領域２８）と光学アジャスタ３０との相対的な位置決めを変更する、ユーザが操作可能な機構４２を含む。図１に示されるように、光ガイド２０はハウジング４０に対して固定され、光学アジャスタ３０は、機構４２に手動で力を加えることによってそれに対して回転移動可能である。図１の実施例では、機構４２は、光学アジャスタ３０に固定され、電球１２のハウジング４０の一部分上を摺動する部材である。一実施例では、移動量は止め具（例示せず）によって限定される。他の手動操作機構が可能である。たとえば、他の種類のスライダを採用してもよいし、回転可能なノブがギヤもしくは駆動列によって移動可能な構成要素にしてもよい。他の実施例では、機構４２を電動化して、光ガイド２０および光学アジャスタ３０の一方または両方を互いに対して移動させる。電動機構は、ユーザ入力、センサからのフィードバック、または誘因となる事象に基づいて光出力を調整するように制御アセンブリ（図示せず）によって制御され得る。さらに他の実施例では機構４２はなく、例示的な円筒の場合にはトルクである位置決め力を、光学アジャスタ３０および光ガイド２０のうち移動可能な一方に直接加えることによって調整が行われる。
【００３１】
一旦位置決めされると、光ガイド２０と光学アジャスタ３０との相対的な位置決めは、ユーザまたは制御アセンブリがその相対的な位置決めを変更するまで変化しないままである。光学アジャスタ３０に対する光ガイド２０の一定の動きは点灯アセンブリ１０の動作中には考慮されないため、光ガイド２０および／または光学アジャスタ３０の移動の範囲は限定され得る。移動の範囲は、光ガイド２０または光学アジャスタ３０を一方向に無限に移動させるのではなく、第１の領域３６を光出力領域２８と整列したり整列しなくなるように移動させる往復摺動に限定され得る。
【００３２】
点灯アセンブリ１０の光出力に加えられた修正の表示をユーザに提供するために視覚的な表示器が存在してもよい。図１の例示された実施例では、たとえば、刻印４４が光学アジャスタ３０上に存在し、ハウジング上のポインタ４６に対して整列してこの表示を提供する。
【００３３】
図６Ａは、光ガイド２０および光学アジャスタ３０の別の例を例示する。この例では、光ガイド２０および光学アジャスタ３０は円盤状であるが、他の形状が可能である。穴４８は、主面２２，２４の間を光ガイド２０を通って延在し、穴４８の端縁が、光がそこを通って光ガイド２０に入力される光入力端縁２６をもたらす。図６Ａの実施例では、光ガイド２０の光出力領域２８と光学アジャスタ３０の第１の領域３６との相対的な位置決めは、光ガイド２０および光学アジャスタ３０の一方または両方の互いに対する回転によって変更される。光学アジャスタ３０は、第２の領域３８を定め、離間された第１の領域３６がその中に規定される連続した部分を有する。例示された実施例では、第１の領域３６および光出力領域２８は合同である。例示された実施例の光学アジャスタ３０は、その移動を可能にするためにスピンドルまたは他の機構（図示せず）に搭載するための穴を有する。相対的な位置決めを変更するための異なる種類の移動を有する以外に（並進の代わりに回転）、図６Ａの実施例は、図３〜図５の実施例と同じように光出力の修正を実現する。したがって、簡潔にするために、光ガイド２０と光学アジャスタ３０との相対的な位置決めを変更して第１および第２の領域３６，３８と光出力領域２８との重なり量を変更することによる出力光の修正については説明しない。
【００３４】
一例では、第１の領域３６は透過性であるが追加的な光学修正特性を有して形成され、第２の領域３８は反射性である。光学アジャスタ３０と光ガイド２０との相対的な位置決めを変更することにより、光が点灯アセンブリ１０から発せられる方向が修正される。光学アジャスタ３０と光ガイド２０との相対的な位置決めの一例では、透過性の第１の領域３６が光出力領域２８と整列される。この例では、光出力領域２８から出力され透過性の第１の領域３６に入射する光が第１の領域３６の光学特性によって修正され、主面２２から離れる方向に点灯アセンブリ１０から出力される。光学アジャスタ３０と光ガイド２０との相対的な位置決めの別の例では、反射性の第２の領域３８が光出力領域２８と整列される。この例では、光出力領域２８から出力され第２の領域３８に入射する光が、各光線出力領域２８を通って光ガイド２０に反射し返され、光ガイド２０を通過し、主面２４から外に出る。この光は、主面２４から離れる方向に、つまり光出力領域２８が第１の領域３６と整列した状態で出力される光と反対の方向に、点灯アセンブリ１０から出力される。光ガイド２０の光抽出素子２７は、光ガイド２０を伝搬する光の全内部反射を乱すことによって主面２４から追加的に光が出力されるようにも形成され得る。
【００３５】
図６Ａの点灯アセンブリ１０の変形例では、光学アジャスタ３０の半分（の面積）が鏡面透過性であり、光学アジャスタ３０の半分（の面積）が鏡面反射性である（たとえば、光学アジャスタ３０の半分が透過性の第１の領域３６を連続的にまたは非連続的にもたらし、光学アジャスタ３０の半分が相応して連続的にまたは非連続的に反射性の第２の領域３８をもたらす）。主面２２の半分は、相応して連続的にまたは非連続的に光出力領域２８をもたらす。光ガイド２０と光学アジャスタ３０との相対的な位置決めに依存して、点灯アセンブリ１０の光出力は、主面２２から離れる方向に点灯アセンブリ１０から外に向けられた光出力領域２８から出力される光のすべてと、主面２４から離れる方向に点灯アセンブリ１０から外に向けられた光出力領域２８から出力される光のすべてとの間のどこにでも光出力分布をもたらすように調整することができる。
【００３６】
図６Ｂに示される例では、光ガイド２０および光学アジャスタ３０は図６Ａのものと同様であるが、第２の光学アジャスタ５０が光ガイド２０と第１の光学アジャスタ３０との間、特に主面２２と３４との間に配置される。第２の光学アジャスタ５０は、離間された第１の領域５２が規定される第２の領域５４をもたらす連続した部分を有する。いくつかの実施例では、光出力領域２８が主面２２にあるように光ガイド２０の光抽出素子２７が構成される。例示される実施例では、第１の領域５２は光ガイド２０の光出力領域２８と合同である。一例では、第２の領域５４は反射性であり、離間された第１の領域５２は鏡面透過性であるか、または第１の領域５２は連続した第２の領域５４に規定される開口部である。第２の光学アジャスタ５０は、光が第１の光学アジャスタ３０に入射する前に、第２の光学アジャスタの第１の領域５２および第２の領域５４の光学修正特性、ならびに第２の光学アジャスタと光ガイド２０の光出力領域２８との相対的な位置決めにしたがって、光の特性を修正する。次いで第１の光学アジャスタ３０は、第１の光学アジャスタ３０の第１の領域３６および第２の領域３８の光学修正特性、ならびに第１の光学アジャスタ３０と、第２の光学アジャスタ５０と、光ガイド２０の光出力領域２８との相対的な位置決めにしたがって、点灯アセンブリ１０によって出力される光の特性をさらに修正する（または異なる特性を修正する）。したがって、点灯アセンブリ１０から出力される光は、光ガイド２０の光出力領域２８と光学アジャスタ３０，５０との相対的な位置決めに依存して、光学アジャスタ３０および５０の光学修正特性の多様な組合せによって修正される。
【００３７】
図６Ａおよび図６Ｂに例示された実施例では、光出力領域２８は各々例示的な楕円形の形状であり、第２の光学アジャスタ５０において例示的な楕円形の形状の対応する第１の領域５２と、光学アジャスタ３０において例示的な楕円形の形状の対応する第１の領域３６とを有する。扇形、台形、正方形、三角形、円などの他の形状が可能である。一実施例では、第２の光学アジャスタ５０における第１の領域５２どうしの互いに対する角度のずれは、光学アジャスタ３０における第１の領域３６どうしの互いに対する角度のずれと一致し、したがって第１の領域５２および第１の領域３６の対応する各対の間で同じ重なり量が実現される。しかしこれはそうである必要はなく、第１の領域５２および第１の領域３６の各対応する対の間で異なる重なり量が実現される。一実施例では、光出力領域２８どうしの互いに対する角度のずれは、光学アジャスタ３０における第１の領域３６どうしの互いに対する角度のずれと一致し、かつ／または第２の光学アジャスタ５０における第１の領域５２どうしの互いに対する角度のずれと一致するが、これはそうである必要はない。光ガイド２０および光学アジャスタ３０，５０は円形である必要はなく（たとえば矩形であり得）、平坦である必要はない（たとえば中空の円筒または中空かつ截頭円錐形であり得る）。
【００３８】
図６Ｂに例示される実施例では、光学アジャスタ３０，５０は光ガイド２０に対してかつ／または互いに対して、限られた回転範囲によって回転するように構成される。追加的にまたは代替的に、光ガイド２０は限られた回転範囲によって回転するように構成される。この目的のために、光学アジャスタ３０，５０の一方または両方がスピンドル（例示せず）または軸受アセンブリ（例示せず）上に搭載され、その周りを回転することで、光ガイド２０と光学アジャスタ３０と追加的な光学アジャスタ５０との相対的な位置決めが変更される。
【００３９】
上記実施例では、光ガイド２０の光出力領域２８は、光ガイドの主面２２，２４の一方または両方において、光抽出素子２７のそれぞれの領域によって規定される。他の実施例では、光抽出素子２７は、光ガイドの主面２２，２４の一方または両方のすべてまたはほぼすべてを覆い、光の放射領域は補助光学アジャスタによって規定される。図６Ｃを参照して、光学アジャスタ３０および補助光学アジャスタ５１を有する光ガイドを採用する点灯アセンブリ１０の別の実施例が例示される。
【００４０】
図６Ｃの実施例では、光ガイド２０の光抽出素子２７は、光ガイド２０の主面２２のすべてまたはほぼすべてから光が出力されるように構成される。補助光学アジャスタ５１は、透過性（たとえば鏡面透過性）である第１の領域５３と反射性である第２の領域５５とを有する。補助光学アジャスタ５１の各第１の領域５３は、光ガイド２０のそれぞれの光出力領域２８を規定する。光ガイド２０の主面２２に投影された光出力領域２８は、図６Ｃの破線によって表される。図示の例では第１の領域５３および第２の領域５５は面積が等しいが、これはそうである必要はない。
【００４１】
図示の例では、補助光学アジャスタ５１は、光ガイド２０と並置されかつ光ガイド２０とは別個の中実品である。補助光学アジャスタ５１の第１の領域５３は、連続した第２の領域５５の開口部によって、または連続しない第２の領域５５どうしの間の、補助光学アジャスタ５１を形成する材料がない空間によってもたらされ得る。補助光学アジャスタ５１を光ガイド２０とは別の中実品として具体化することで、補助光学アジャスタ５１の位置を変更することによって、かつ光ガイド２０の位置を変更することなく、補助光学アジャスタ５１の第１の領域５３によって規定される光出力領域２８の位置を変更することが可能となる。代替的に、中実品として具体化された補助光学アジャスタ５１は、光ガイド２０に対して所定の位置に固定され得る。この場合、光出力領域２８の位置は、光ガイド２０および補助光学アジャスタ５１の位置をともに変更することによって変更される。他の例において、補助光ガイド５１は光ガイド２０と一体である。たとえば、反射性材料のセクタが光ガイド２０の主面の一方に堆積されるかまたは貼付けられて、補助光学アジャスタ５１の反射性の第２の領域５５をもたらし得、覆われていない部分が透過性の第１の領域５３をもたらす。補助光ガイド５１が光ガイド２０と一体である例では、光ガイド２０の位置を変更して、補助光学アジャスタ５１の第１の領域５３によって規定される光出力領域２８の位置を変更させる。いくつかの実施例では、補助光学アジャスタ５１の第１の領域５３は透過性であり、追加的な光学特性（たとえば色減衰性）を有する。
【００４２】
図６Ｃの実施例では、光学アジャスタ３０の第１の領域３６は透過性であり（たとえば、鏡面透過性または透過性であり、色減衰性もしくは拡散性などの追加的な光学特性を有し）、第１の光学アジャスタ３０の第２の領域３８は反射性である。光ガイド２０から出力され補助光学アジャスタ５１の反射性の第２の領域５５に入射する光出力は光ガイド２０に反射し返され、反射された光は主面２４を通って光ガイド２０から出る。光ガイド２０から出力され第２の光学アジャスタ５０の第１の領域５３を通って伝えられた光は、光学アジャスタ３０に入射する。光学アジャスタ３０と（補助光学アジャスタ５０の第１の領域によって規定される）光出力領域２８との相対的な位置決めは、光出力領域２８から出る光を光学アジャスタ３０の透過性の第１の部分３６と反射性の第２の部分３８とに配分する。光出力領域２８から出て光学アジャスタ３０の第１の領域３６に入射する光の部分は、光ガイド２０の主面２２から離れる方向に、点灯アセンブリ１０から出力される。しかし、光出力領域２８から出て光学アジャスタ３０の反射性の第２の領域３８に入射する光の部分は、（補助光学アジャスタ５１の透過性の第１の領域５３によって規定される）光出力領域２８を通って反射し返され、主面２２を通って光ガイド２０に入り、光ガイド２０を通過し、光ガイド２０の主面２４から離れる方向に、つまり透過性の第１の部分３６に入射する光の部分が出力されるのとは反対方向に、点灯アセンブリから出力される。したがって、点灯アセンブリ１０から出力される光は、主面２２から離れる方向に出力される光と、主面２４から離れる方向に向けられた光との間で選択的に配分される。配分は、（補助光学アジャスタ５１の透過性の第１の領域５３によって規定される）光ガイドの光出力領域２８と光学アジャスタ３０の透過性の第１の領域３６との重なり合いに依存し、配分は、光学アジャスタ３０と補助光学アジャスタ５１によって規定される光ガイド２０の光出力領域２８との相対的な位置決めに依存する。光ガイド２０の光抽出素子２７は、光ガイド２０の主面２４から光が追加的に出力されるようにも構成され得る。
【００４３】
図７は、調整可能な光出力を有する点灯アセンブリ１０の別の実施例の一例を例示する。この例では、光ガイド２０および光学アジャスタ３０は中空であり、截頭円錐形かつ同軸であり、光学アジャスタ３０は光ガイド２０から径方向内側に配置される。この実施例では、光ガイド２０および光学アジャスタ３０が円筒状である実施例のように、第１の領域３６と光出力領域２８との重なり量は、光学アジャスタ３０と光ガイド２０の光出力領域２８との回転における相対的な位置決めによって制御される。
【００４４】
いくつかの実施例では、光ガイド２０は光学アジャスタ３０を支持する。他の実施例では、光学アジャスタが光ガイドを支持する。図７に示された例では、たとえば、ハンガー部材５８が光学アジャスタ３０から光ガイド２０を吊下げる。他の支持構造が可能である。一例では、電球１２（図１）のハウジング４０または照明器具１４のハウジング５９（図２）は、光学アジャスタ３０および光ガイド２０を点灯アセンブリ１０内に保持するように、光学アジャスタ３０および光ガイド２０の両方を支持する。他の例示的な支持部は、ポール、フック、ハブ、軸受、噛合うスロットおよび隆起部、噛合う窪みおよび戻り止めなどを含む。一実施例では、光学アジャスタ３０は、より多くの光修正オプションを可能にするために、異なる光学特性を有する別の光学アジャスタ３０で代替可能である。
【００４５】
図１〜図７を参照して上記し、かつ多様な用途のために構成された点灯アセンブリ１０の多くの実施例について説明する。
【００４６】
特定の光線角度分布で光を出力するための点灯アセンブリ１０を必要とする用途がある。そのような用途で使用するために構成された実施例は、光ガイド２０の光出力領域２８から出力される光の光線角度分布を修正して、当該用途に好適な光線角度分布を有する出力光をもたらす。一例では、第１の領域３６は光方向変換素子として構成された光学素子を有する。この場合、光ガイド２０の光出力領域２８から出力された光は第１の領域３６に入射し、第１の領域３６の光方向変換素子の光方向変換特性にしたがって方向変換される。この例の一変形例では、第２の領域３８は、光出力領域２８から受取られた光が第１の領域３６によって出力される光よりも光線角度分布が広くなるように修正されるように、第２の光修正特性（たとえば拡散特性）を有する。別の変形例では、第２の領域３８は、第２の領域３８によって方向変換された光の光線角度分布が異なる光線角度でピーク強度を有しかつ／または第１の領域３６によって方向変換された光より広いもしくは狭いピークを有するように、光出力領域２８から受取られた光を、第１の領域３６の光方向変換素子とは違うように方向変換する光方向変換素子を有する。
【００４７】
別の用途に好適な点灯アセンブリ１０の構造では、点灯アセンブリ１０は、点灯アセンブリによって出力される光の方向を修正する。第１の領域３６は反射性であり、第２の領域３８は透過性である（たとえば鏡面透過性、拡散性、または光方向変換性である）。このように、点灯アセンブリ１０によって出力される光の方向は、光ガイド２０の光出力領域２８と光学アジャスタ３０との相対的な位置決めによって制御される。図６Ａを参照して上記した例と同様に、光出力領域２８を有する主面２２から出力光が出力される場合は、透過性の第２の領域３８は、第２の領域３８が光出力領域２８から出力された光を伝えるように光出力領域２８と整列される。出力光が他方の主面２４から出力される場合は、反射性の第１の領域３６は、第１の領域３６が光出力領域２８から出力された光が光ガイド２０に向かってかつ光ガイド２０を通って反射し返されるように、光出力領域２８と整列される。出力光が両方の主面２２，２４から出力される場合は、第１および第２の領域３６，３８は、各々の一部分が部分的に光出力領域２８と重なるように位置決めされる。この位置決めにより、光出力領域２８からの光の一部は第２の領域３８によって伝えられ、光出力領域２８からの光の一部（典型的に残部）は第１の領域３６によって反射される。それぞれの領域３６，３８が光出力領域２８と重なる量は、光出力領域２８からの光の２つの方向への配分を決定する。
【００４８】
いくつかの実施例では、光ガイド２０に対して移動しない光学部品（図示せず）が光学アジャスタ３０の反対側で光ガイド２０と隣接して、反射性の第１の領域３６によって反射された光を修正する。光学部品は、たとえば拡散性、反射性、光方向変換性、偏光性、反射偏光性、強度低下性、波長シフト性、または色減衰性であり得る。
【００４９】
さらに他の例示的な用途に好適な点灯アセンブリ１０の構造では、点灯アセンブリ１０は、点灯アセンブリ１０から出力される光の色を修正する。たとえば、ランタンなどの携帯用ランプの実施例では、第１の領域３６および第２の領域３８は鏡面透過性であり、第１の領域３６は追加的にカラーフィルタを含む。一例では、第２の領域３８を光出力領域２８と整列して位置決めすることで点灯アセンブリ１０から白色光を出力させ、第１の領域３６を光出力領域２８と整列して位置決めすることで点灯アセンブリ１０から着色光を出力させる。
【００５０】
点灯アセンブリ１０によって出力される光の色は、領域３６，３８の一方もしくは両方において光学アジャスタ３０の上もしくは一部としてカラーフィルタ層を、領域３６，３８の一方もしくは両方において光学アジャスタのカラーフィルタリング材料組成を、領域３６，３８の一方もしくは両方において光学アジャスタの上もしくは一部としてダイクロイックフィルタを、または領域３６，３８の一方もしくは両方において光学アジャスタの上もしくは一部として波長シフト材料を用いて変化させ得る。一例では、点灯アセンブリ１０は光出力の色温度を変化させるように構成される。多くのＬＥＤ光源１８は対応する色温度を実現するように意図される範囲の波長で光を発する。しかし、同じ定格色温度を有するＬＥＤの束内では、ＬＥＤごとに色温度が変動する。また、広域スペクトルＬＥＤ（たとえば「白色光」ＬＥＤ）または三色ＬＥＤのグループ（たとえば出力を組合わせて白色光を生成する赤色ＬＥＤ、青色ＬＥＤ、および緑色ＬＥＤ）は、ユーザにとって望ましいかまたはある点灯用途に適切な色温度を生成しない場合がある。点灯アセンブリ１０から出力される光の色温度を修正するために、第１の領域３６および場合によっては第２の領域３８が使用され得る。たとえば、第１の領域３６は、より暖かくなるように（赤が多いかもしくは青が少ない、またはその両方の）光出力を修正し得、第２の領域３８は、より涼しくなるように（赤が少ないかもしくは青が多い、またはその両方の）光出力を修正し得る。
【００５１】
いくつかの実施例は、所望の色温度を実現するために、点灯アセンブリ１０から出力される光の色温度をユーザが調整することが可能となるように構成される。他の実施例は、点灯アセンブリ１０の製造業者が点灯アセンブリ１０から出力される光の色温度を調整して、異なるロットの光源１８に関連付けられた異なる色温度を補償することが可能となるように構成される。これにより、点灯アセンブリ製造業者はより広範囲の光源１８を１つ以上の供給業者に供給し、なおかつ規定され一貫した色温度で点灯アセンブリを製造することが可能となる。
【００５２】
いくつかの実施例では、出力光が規定された特性を有する（たとえば規定された色温度が得られる）まで、光ガイド２０の光出力領域と光学アジャスタ３０との相対的な位置決めが点灯アセンブリ１０の製造業者によって変更される。相対的な位置決めはその後製造業者によって固定され、点灯アセンブリ１０は、点灯アセンブリ１０のユーザが相対的な位置決めをさらに変更することができる力を最小化するように構成される。他の実施例では、ユーザは相対的な位置決めを変更することができる力を有する。
【００５３】
他の用途に好適な光アセンブリ１０の構造は、第１の領域３６について上記の光修正特性のいずれかを使用することに基づいて、または第１の領域３６、第２の領域３８、および光ガイド２０の光出力領域２８と重なり合うことができる光学アジャスタ３０のいずれかの追加的な領域について上記の光修正特性のいずれかの組合せを使用することに基づいて明らかとなる。
【００５４】
図８Ａおよび図９を追加的に参照して、点灯アセンブリ１０のいくつかの実施例は、第１の光学アジャスタ３０と称されることもある光学アジャスタ３０と、第２の光学アジャスタ６０とを含む。光学アジャスタ３０，６０の各々は、各光学アジャスタ３０，６０がそれぞれの光修正特性を有するそれぞれの第１の領域３６，６２と、それぞれの光修正特性を有するかまたは鏡面透過性であるそれぞれの第２の領域３８，６４とを有するように、前述の実施例にしたがって構成される。第１の領域３６，６２および／または該当する場合は第２の領域３８，６４の光修正特性は、同じである必要はない。
【００５５】
光ガイド２０の光出力領域２８、第１の光学アジャスタ３０、および第２の光学アジャスタ６０は、互いに対して可変に位置決めすることができる。一実施例では、光ガイド２０と第２の光学アジャスタ６０との相対的な位置決めは、光ガイド２０と第１の光学アジャスタ３０との相対的な位置決めに依存しない。別の実施例では、光ガイド２０と第２の光学アジャスタ６０との相対的な位置決めは、光ガイド２０と第１の光学アジャスタ３０との相対的な位置決めに依存する。いくつかの実施例では、光学アジャスタ３０，６０の一方または両方は、光ガイド２０の光出力領域２８に対して可変に位置決めすることができる。
【００５６】
例示された実施例では、第１および第２の光学アジャスタ３０，６０は光ガイド２０の対向する側にあるため、第１の光学アジャスタ３０の主面３４は光ガイド２０の一方の主面２２に面し、第２の光学アジャスタ６０の一方の主面６６は光ガイド２０の他方の主面２４に面する。第２の光学アジャスタ６０の他方の主面６８は、光ガイド２０から離れる方に面する。加えて主面６６は、光ガイド２０の面する主面２４に並置され、表面の輪郭が一致する。他の実施例では、第１の光学アジャスタ３０および第２の光学アジャスタ６０の両方が光ガイド２０の同じ側に配置される。
【００５７】
光ガイド２０の対向する側の２つの光学アジャスタ３０，６０がある実施例では、光出力領域２８から出力された光は第２の光学アジャスタ６０に入射する。この実施例では、第２の光学アジャスタ６０の第２の領域６４は反射性であり、入射光を光ガイド２０を通って反射し返す。反射光の量は、反射性の第２の領域６４の発光領域２８と重なり量に依存する。反射光は、主面２２から出た後、第１の光学アジャスタ３０に入射する。第１の光学アジャスタ３０に入射した光は、第１および第２の領域の反射光との重なり合いに依存して、第１および第２の領域３６，３８の間で配分される。第１および／または第２の領域３６，３８の光修正特性は、これらの領域３６，３８にそれぞれ入射する光を修正し、それによって点灯アセンブリ１０から出力される光の全体的な特性を修正する。
【００５８】
図８Ａに示される点灯アセンブリ１０の典型的な実施例は、光ガイド２０の光出力領域２８と光学アジャスタ３０，６０との相対的な位置決めに依存して、狭い光線角度分布、広い光線角度分布、および中間の光線角度分布から選択可能な光出力を有する。中間の光線角度分布は、狭い光線角度分布と広い光線角度分布との間の光線角度分布であり、光ガイドから出力される光の、光学アジャスタの領域への配分に依存する二者の組合せに起因する。
【００５９】
図８Ａに示される実施例の動作について、図８Ｂおよび図８Ｃを追加的に参照して次に説明する。第２の光学アジャスタ６０の第１の領域６２は透過性であり、第２の光学アジャスタ６０の第２の領域６４は反射性であり、第１の光学アジャスタ３０の第１および第２の領域３６，３８は透過性であり、それぞれの光方向変換特性を有する。加えて、光出力領域２８は、第２の光学アジャスタ６０に面する光ガイド２０の主面２４上にあり、光ガイド２０は主面２２からの最小光出力を有するように構成される。
【００６０】
図８Ｂにおいて光線７２で表わされるように、光出力領域２８のための光抽出素子２７は、低い光線角度で光出力領域２８から光を出力するように構成される。低い光線角度は、光源１８から離れる方向に向けられた光線角度であり、光ガイド２０の主面２４に対して主に４５度未満である。示されるように、第２の光学アジャスタ６０の第１の領域６２は透過性である。第１の領域６２が鏡面透過性である例では、光出力領域２８からの光は、低い光線角度で点灯アセンブリ１０を出、狭い光線角度分布を有する。第１の領域６２が光方向変換性であって、より一層低い光線角度に光を向けるように構成される例では、光線角度分布は、第１の領域６２が鏡面透過性である例よりも低い光線角度でピークを有する。加えて、ピークはより狭い場合もある。
【００６１】
図８Ｃにおいて光線７４で表わされるように、第２の光学アジャスタ６０の反射性の第２の領域６４が光出力領域２８と重なると、第２の領域６４は光出力領域から出力される光を反射する。反射光は主面２４に再び入り、光ガイド２０を通過し、主面２２から出、第１の光学アジャスタ３０に入射する。第１の光学アジャスタ３０は透過性であるため、光は光ガイド２０の主面２２から離れる方向に点灯アセンブリ１０から出る。反射光の特性に所望量の調整能力を与えるには、第１の領域３６は、鏡面透過性である（たとえば光学アジャスタ３０に入射する光と同じ光線角度分布で第１の領域が光を出力するように）、拡散性である（たとえば光学アジャスタ３０に入射する光より広い光線角度分布で第１の領域３６が光を出力するように）、または、光学アジャスタ３０に入射する光とは異なる角度にピークがある光線角度分布で第１の領域３６が光を出力するように光方向変換性であるうちの一つであればよい。
【００６２】
一実施例では、第１の光学アジャスタ３０の第２の領域３８は第１の光学アジャスタ３０の第１の領域３６とは異なる透過性特性を有する。光ガイド２０の光出力領域２８、第１の光学アジャスタ３０、および第２の光学アジャスタ６０の３つすべての相対的な位置決めを変更することにより、点灯アセンブリ１０から出力される光は、低くかつ／または狭い光線角度分布を有する光出力（たとえば第２の光学アジャスタ６０の第１の領域６２を介する光出力）と、光学アジャスタ３０の第１の領域３６の光学特性に依存する光出力と、光学アジャスタ３０の第２の領域３８の光学特性に依存する光出力との間で修正可能である。
【００６３】
すべての図および特に図９を参照して、光ガイド２０の光抽出素子２７は光ガイド２０の対向する主面２２，２４上にそれぞれ２つの光出力領域２８および７６をもたらすように構成することができる。光出力領域２８および７６は互いに整列されてもよいし、互いに対してずらされてもよく、光出力領域２８および７６は、同じ光線角度分布または異なる光線角度分布で光を出力し得る。追加的にまたは代替的に、光出力領域２８および７６は同じかまたは異なる強度プロファイルで光を出力し得る。それぞれの光線出力領域２８，７６から出力される光はそれぞれの光学アジャスタ３０，６０によって個別に修正され、それぞれの照明面を照らすのに好適な特性を光に与える。
【００６４】
図１に戻り、電球１２として具体化された場合の点灯アセンブリ１０に関する追加的な詳細について説明する。電球１２はベース７８を含む。例示されているベース７８はねじ込み口金であるが、白熱電球、螢光灯、小型螢光灯（ＣＦＬ）、ハロゲン電球、高輝度放電（ＨＩＤ）電球、アークランプ、またはいずれかの他の種類の電球をランプ、照明器具、懐中電灯、電球ソケットなどに機械的に固定するため、かつ／またはそこに電気を供給するために使用されるいずれかの商業上標準的なベースまたは専用のベースを含む他の種類のベース７８を使用してもよい。電球１２は、典型的に、光源１８によって生じた熱を放散するヒートシンク８０をさらに含む。例示された実施例形態のヒートシンク８０は、ハウジング４０の一部を形成する。光ガイド２０および光学アジャスタ３０などの電球１２の部品は、図３、図４、図５、図６Ａ〜図６Ｃ、図７、図８Ａ〜図８Ｃ、および図９を参照して上に説明される。
【００６５】
ここでの「電球」という記載は、光発生装置であって、当該光発生装置を機械的に取付けて当該光発生装置に電力を提供するために用いられるさまざまな固定具のいずれかに嵌合し係合する光発生装置を広く包含することを意味する。そのような固定具の例として、エジソン電球ベースに係合するねじ込み固定具、差込電球ベースに係合する差込固定具、およびバイピン電球ベースに係合するバイピン固定具が含まれるが、これらに限定されない。したがって、「電球」という用語は単独では、光発生装置の形状、または電力から光を発生するメカニズムをまったく限定しない。また、電球は、光を発生するための環境を形成する閉じた筐体を有しなくてもよい。電球は米国規格協会（ＡＮＳＩ）または電灯の他の規格に準拠し得るが、電球はこれに必ずしも準拠しなくてもよい。
【００６６】
図２に戻り、照明器具１４に関する追加的な詳細について説明する。照明器具１４は、吊下げライト（図示）、天井灯（たとえばドロップダウン天井に嵌合するかまたは天井と面一に固定するためのアセンブリ）、壁面照明（wall sconce）、卓上ランプ、タスクライト、または他の照明装置であり得る。照明器具は、光源アセンブリ１６、光ガイド２０、および光学アジャスタ３０を保持するためのハウジング５９を含む。ハウジング５９は、ヒートシンクを保持し得るか、またはヒートシンクとして機能し得る。いくつかの実施例では、照明器具１４は、点灯アセンブリを保持構造（たとえば天井、壁など）に機械的に固定するための機構８２（たとえば吊下げライトの場合はチェーンもしくはワイヤ、または天井灯もしくは壁面照明の場合はクリップもしくは留め具など）を含む。他の実施例では、機構８２は、照明器具１４がフロアランプ、卓上ランプ、タスクランプなどとして機能することを可能にするためのスタンドおよび／またはベースアセンブリである。電力は適切な導体を通って照明器具に供給され、機構８２の一部を形成し得るかまたは機構８２を通過し得る場合もある。光ガイド２０および光学アジャスタ３０などの照明器具１４の部品は、図３、図４、図５、図６Ａ〜図６Ｃ、図７、図８Ａ〜図８Ｃ、および図９を参照して上に説明される。
【００６７】
図１０を追加的に参照して、電球１２として構成された別の例示的な点灯アセンブリ１０が例示される。例示された実施例の光ガイド２０は円筒状であり、光入力端縁２６の反対側にある光ガイド２０の端部に遠位端縁８４を有する。図１と同様に、図１０の電球１２のハウジング４０の一部分は、１つ以上の光源１８およびプリント回路基板１９を有する光入力端縁２６および光源アセンブリ１６の一部分を表すために分解して示される。光ガイド２０を通って伝搬し、主面２２または２４において光抽出素子２７によって取出されない光は、端縁８４に入射することになる。
【００６８】
遠位端縁８４は第１の領域８６を有し、第１の領域８６は遠位端縁８４に沿って第２の領域８８に周方向に挟まれる。第２の領域８８は光学修正特性を有する。一実施例では、第２の領域８８の光学修正特性は反射性である。第２の領域８８のための反射性の光学修正特性は、たとえば反射性コーティングを用いて実現される。この実施例では、遠位端縁８４の第１の領域８６は透過性である。いくつかの実施例では、第１の領域８６は透過性であり、追加的な光学特性（たとえば、色減衰性または拡散性）を有する。他の実施例では、第１の領域８６および／または第２の領域８８は、拡散性、光方向変換性、偏光性、反射偏光性、強度低下性、波長シフト性、または色減衰性などの他の光学修正特性を有する。
【００６９】
第２の領域８８が反射性であり第１の領域８６が透過性である実施例では、第２の領域８８に入射する光が反射され、光ガイド２０内を全内部反射によって光入力端縁２６に向かって伝搬する。全内部反射のための臨界角未満の角度で第１の領域８６に入射する光は端縁８４から出る。例示の目的のために、第２の領域８８は図１０ではハッチングして示される。
【００７０】
図１０の電球１２は光学アジャスタ９０を含む。図１１を追加的に参照して、光学アジャスタ９０の、光ガイド２０の遠位端縁８４に面する側の平面図が示される。一実施例では、光学アジャスタ９０は、金属、プラスチック、または他の好適な材料からなるリングである。例示される実施例の光学アジャスタ９０は、（たとえば、光ガイド２０の内側主面２２と一致する）光ガイド２０の内径に嵌合する内側側壁９４、（たとえば、光ガイド２０の外側主面２４と一致する）光ガイド２０の外径に嵌合する外側壁９６、ならびに内側側壁９４と外側壁９６との間にまたがる環状部９２を含む。環状部９２は、光学アジャスタ９０が光ガイド２０に設置されると遠位端縁８４と並置される表面９３（図１１）を有する。
【００７１】
光学アジャスタ９０の環状部９２は、光学アジャスタ９０の周りの第２のアジャスタ領域１００で周方向に挟まれた第１のアジャスタ領域９８を有する。例示の目的のために、第１のアジャスタ領域９８は図１１ではハッチングして示される。一実施例では、第１のアジャスタ領域９８は反射性であり、第２のアジャスタ領域１００は透過性である。第１のアジャスタ領域９８は、光学アジャスタ９０の第１の領域９８を形成する環状部９２の表面９３の部分に反射性コーティングを加えること、または、光学アジャスタ９０の材料に依存して光学アジャスタ９０の第１の領域９８を形成する環状部９２の表面９３の部分を研磨することによって、反射性となり得る。一実施例では、光学アジャスタ９０は、白いプラスチックなどの反射性材料または反射性コーティングを有するプラスチックからなり、第２のアジャスタ領域１００は、光が通過することを可能にする光学アジャスタ９０の開口部によって規定される。他の実施例では、第２のアジャスタ領域１００は透過性材料からなる。他の実施例では、第１のアジャスタ領域９８および／または第２のアジャスタ領域１００は、拡散性、光方向変換性、偏光性、反射性偏光性、強度低下性、波長シフト性、色減衰性などの他の光学修正特性を有する。
【００７２】
光学アジャスタ９０および光ガイド２０は、互いに対して移動可能である。図示の例では、光学アジャスタ９０が光ガイド２０に対して回転し、そのため光学アジャスタ９０の第１のアジャスタ領域９８と端縁８４の第１の領域８６との重なり量が光学アジャスタ９０と光ガイド２０との相対的な位置決めによって制御される。光学アジャスタ９０は、光ガイド２０の１つ以上の対応する窪み（図示せず）に収容される、光学アジャスタ９０の１つ以上の戻り止め（図示せず）などのいずれかの適切な手段によって光ガイド２０に固定される。いくつかの実施例では、光学アジャスタ９０および光ガイド２０は、限られた回転範囲を通って互いに対して回転するように構成される。（たとえば、相対的な移動量は所望数の回転進行度に限定され得る）。一実施例では、動作の範囲によって、光学アジャスタ９０の第１の領域９８が遠位端縁８４の第１の領域８６に完全に重なることに対応する相対的な位置決めと、光学アジャスタ９０の第１のアジャスタ領域９８が遠位端縁８４の第２の領域８８に完全に重なることに対応する相対的な位置決めとが可能となる。
【００７３】
一実施例では、端縁８４の透過性の各第１の領域８６について、光学アジャスタ９０の反射性の第１のアジャスタ領域９８および透過性の第２のアジャスタ領域１００がある。また、光学アジャスタ９０の反射性の各第１のアジャスタ領域９８と端縁８４のそれぞれの透過性の第１の領域８６との重なり量は、それらの間でのいずれかの選択的な配分を含んで、重なり無しから完全な重なりまで調整可能である。光学アジャスタ９０の透過性の各第２のアジャスタ領域１００と端縁８４の透過性の第１の領域８６との重なり量において、対応する変化が生じることになる。一実施例では、光学アジャスタ９０の反射性の第１のアジャスタ領域９８と端縁８４の透過性の第１の領域８６とが重ならない場合、端縁８４の透過性の第１の領域８６を通って光ガイド２０から出る光は、光学アジャスタ９０の透過性の第２のアジャスタ領域１００を通過し、電球１２から離れる方向に進むことになる。このように、端縁８４の第１の領域８６によって出力され、光学アジャスタ９０の第１のアジャスタ領域９８によって反射される光エネルギは制御可能である。光学アジャスタ９０の反射性の第１のアジャスタ領域９８によって反射される光は、典型的に、端縁８４のそれぞれの第１の領域８６を通って光ガイド２０に再び入り、光ガイド２０内を全内部反射によって光入力端縁２６に向かって伝搬する。この光の少なくともいくらかは、以下で説明するように、光ガイド２０の主面２２，２４の少なくとも一方において光抽出素子２７によって取出される。
【００７４】
図１０および図１１の点灯アセンブリ１０の変形例では、反射性の第２の部分８８が端縁８４の面積の半分を占め、端縁８４の透過性の第１の部分８６によってまったく光が伝えられない場合から、端縁８４の透過性の第１の部分８６によって伝えられた光のすべてが光学アジャスタ９０の反射性のアジャスタ部分９８によって反射される場合まである。端縁８４に入射する光が端縁８４の反射性の部分と透過性の部分とに等しく分割される一実施例では、光学アジャスタ９０と光ガイド２０との相対的な位置決めに依存して、端縁８４に入射する光の半分からすべてが光入力端縁２６に向かって反射し返される。
【００７５】
図１２を追加的に参照して、光学アジャスタ１０の別の実施例が示される。図１２には、光学アジャスタ９０の、光ガイド２０の遠位端縁８４に面する側の平面図が示される。図１２の光学アジャスタ９０は、光ガイド２０の内径に嵌合する（たとえば、光ガイド２０の内側主面２２と一致する）内側側壁９４と、光ガイド２０の外径に嵌合する（たとえば、光ガイド２０の外側主面２４と一致する）外側壁９６と、内側側壁９４と外側壁９６とにまたがる環状部９２とを含む。環状部９２は、光学アジャスタ９０が光ガイド２０に設置される場合、遠位端縁８４に並置される表面９３を有する。一実施例では、端縁８４の透過性の各第１の領域８６について、光学アジャスタ９０の反射性の第１のアジャスタ領域９８および透過性の第２のアジャスタ領域１００がある。一実施例では、透過性の第２のアジャスタ領域１００は環状部９２の開口部であり、別の実施例では、透過性の第２のアジャスタ領域１００は、遠位端縁８４を通って光ガイド２０からから出力される光に対して透過可能な材料からなる。
【００７６】
第１のアジャスタ領域９８の径方向の寸法（および相応して第２のアジャスタ領域１００の径方向の寸法）は、光学アジャスタ９０の周りの周方向の位置によって変化する。したがって、光学アジャスタ９０の回転と第１のアジャスタ領域９８による遠位端縁８４を通る光出力に対する効果との関係は、図１１を参照して上記した例とは異なることになる。いくつかの実施例では、第１のアジャスタ領域９８の先細りは非線形であり、光学アジャスタ９０の回転と遠位端縁８４を通る光出力に対する効果とに非線形の関係をもたらす。また、例示された実施例では、第１のアジャスタ領域９２は、第１の領域８６または第２の領域８８のいずれかよりも周方向に長い。したがって、領域８６および８８が各々同じ寸法であり、遠位端縁８４の周りに均一に分布する例示された実施例では、各第１のアジャスタ領域９８の少なくとも一部分が第１の領域８６の１つに重なり、第１のアジャスタ領域９８の残りは第２の領域８８の隣接する１つに重なることになる。他の実施例では、第１のアジャスタ領域９８の寸法および形状は、第１の領域８６の寸法および形状と同じである。
【００７７】
端縁８４に入射する光エネルギは、光抽出素子２７によって主面２２，２４を通って取出される光エネルギに依存する。一実施例では、光入力端縁２６において光ガイドに入る光の約５〜１０パーセントが端縁８４に入射する。一実施例では、光抽出素子２７は、反射光が光入力端縁２６に向かって伝搬するにつれて、反射された光を端縁８４においてまたは光学アジャスタ９０において抽出するように構成される。光抽出素子２７は、光入力端縁２６から離れる方向に伝搬する光と、異なる方向性の特性を有する光入力端縁２６に向かって伝搬する光とを抽出する。したがって、光学アジャスタ９０の調整は、光ガイド２０から取出された光の全体的な光線角度分布を調整する。
【００７８】
図１０〜図１２の点灯アセンブリ１０の修正可能な光出力は、上記の用途のいずれに使用されてもよい。また、この開示の記述時において、Ａ１９電球のためのＥＮＥＲＧＹ  ＳＴＡＲ（登録商標）プログラム仕様書には、電球の光源からの光束の約５パーセントが電球のベースから頂部に延在する軸に対して１３５°〜１８０°の範囲の光線角度で出力されるべきであると記載されている。光学アジャスタ９０は、光学アジャスタ９０と端縁８４との整列に依存して、ベースに向かうＥＮＥＲＧＹ‐ＳＴＡＲ（登録商標）に準拠した発光を含むベースに向かう範囲の光エネルギ放射を点灯アセンブリ１０が有することを可能にする。
【００７９】
本開示において、「〜の１つ」という語句の前に一覧がある場合、当該一覧の要素を選択的に意味することを意図している。たとえば「Ａ、ＢおよびＣの１つ」は、ＡまたはＢまたはＣを意味する。「〜の少なくとも１つ」という語句の前に一覧がある場合、当該一覧の要素の１つ以上を選択的に意味することを意図している。たとえば、「Ａ、ＢおよびＣの少なくとも１つ」は、ＡまたはＢまたはＣまたは（ＡおよびＢ）または（ＡおよびＣ）または（ＢおよびＣ）または（ＡおよびＢおよびＣ）を意味する。
【図１】
2014508387.tif 000003
【図２】
2014508387.tif 000004
【図３】
2014508387.tif 000005
【図４】
2014508387.tif 000006
【図５】
2014508387.tif 000007
【図６Ａ】
2014508387.tif 000008
【図６Ｂ】
2014508387.tif 000009
【図６Ｃ】
2014508387.tif 000010
【図７】
2014508387.tif 000011
【図８Ａ】
2014508387.tif 000012
【図８Ｂ】
2014508387.tif 000013
【図８Ｃ】
2014508387.tif 000014
【図９】
2014508387.tif 000015
【図１０】
2014508387.tif 000016
【図１１】
2014508387.tif 000017
【図１２】
2014508387.tif 000018
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
点灯アセンブリであって、
全内部反射によって光がその間を伝搬する対向する主面、光入力端縁、および主面の一方上の光出力領域を含む光ガイドと、
主面が前記光ガイドの主面に並置されかつ一致する光学アジャスタとを備え、前記光学アジャスタは第１の領域および第２の領域を有し、前記第１の領域は光修正特性を有し、前記光出力領域から発せられた光を前記第１の領域と前記第２の領域との間で選択的に配分するように、前記光学アジャスタおよび前記光出力領域を互いに対して可変に位置決めすることができ、前記第１の領域に配分された光はその光修正特性によって修正され、したがって前記点灯アセンブリから出力される光の特徴は、前記光学アジャスタと前記光出力領域との相対的な位置決めに基づいて修正される、点灯アセンブリ。
【請求項２】
前記第１の領域に配分された光は、前記第１の領域と重なり合わされた前記光出力領域の第１のエリアにおいて前記光出力領域から発せられ、前記第２の領域に配分された光は、前記第２の領域と重なり合わされた前記光出力領域の第２のエリアにおいて前記光出力領域から発せられ、前記第１の領域および前記第２の領域が前記光出力領域と重なる量は、前記光学アジャスタと前記光ガイドとの相対的な位置決めに依存する、請求項１に記載の点灯アセンブリ。
【請求項３】
前記第１の領域および前記第２の領域のうち少なくとも一方と前記光出力領域とは同じ寸法および形状を有する、請求項２に記載の点灯アセンブリ。
【請求項４】
前記点灯アセンブリから出力される光の修正される特性はスペクトルであるかまたは、
前記点灯アセンブリから出力される光の修正される特性は色温度であるかまたは、
前記点灯アセンブリから出力される光の修正される特性は光線角度分布であるかまたは、前記第２の領域は反射性であり、前記第２の領域に入射した光を前記光ガイドを通って反射し返す、請求項１に記載の点灯アセンブリ。
【請求項５】
前記光ガイドおよび前記光学アジャスタの少なくとも一方を他方に対して移動させるための手動操作機構をさらに備えるかまたは、
前記光ガイドおよび前記光学アジャスタの少なくとも一方を他方に対して移動させるための電動機構をさらに備える、請求項１に記載の点灯アセンブリ。
【請求項６】
前記点灯アセンブリは、前記光入力端縁を通って前記光ガイドに光を入力するように配置された光源をさらに備え、
前記光源は固体光源である、請求項１に記載の点灯アセンブリ。
【請求項７】
前記光ガイドは、前記光出力領域を規定するために、前記光ガイドの主面の少なくとも一方において光抽出素子の領域を追加的に含む、請求項１に記載の点灯アセンブリ。
【請求項８】
前記光ガイドは、
主面の一方に隣接し、前記光出力領域を規定するように構成された補助光学アジャスタと、
前記光ガイドの主面の少なくとも一方における前記光抽出素子とを追加的に含み、前記光抽出素子は、前記補助光学アジャスタに隣接する前記光ガイドの主面の前記一方の領域において前記光ガイドから光を抽出するように構成される、請求項１に記載の点灯アセンブリ。
【請求項９】
反射光を拡散するために、前記光ガイドの、前記光学アジャスタに対向する側で前記光ガイドに隣接する拡散性光学部品をさらに備えるかまたは、
前記光ガイドから出る反射光が入射する光学部品を追加的に備え、前記光学部品は、光方向変換性、偏光性、反射偏光性、強度低下性、波長シフト性、および色減衰性のうち少なくとも１つである、請求項４に記載の点灯アセンブリ。
【請求項１０】
前記点灯アセンブリは、主面が前記光ガイドの主面の他方に並置されかつ一致する追加的な光学アジャスタをさらに備え、前記追加的な光学アジャスタは第１の領域および第２の領域を有し、前記追加的な光学アジャスタの前記第１の領域は光修正特性を有し、前記光ガイドによって出力され、前記追加的な光学アジャスタに入射する光を前記追加的な光学アジャスタの前記第１の領域と前記追加的な光学アジャスタの前記第２の領域との間で選択的に配分するように、前記追加的な光学アジャスタおよび前記光ガイドを互いに対して可変に位置決めすることができ、前記追加的な光学アジャスタの前記第１の領域に配分された光はその光修正特性によって修正され、したがって前記点灯アセンブリから出力される光の特徴は、前記追加的な光学アジャスタと前記光ガイドとの相対的な位置決めに基づいても修正される、請求項１〜９のうちいずれか１項に記載の点灯アセンブリ。
【請求項１１】
前記第１の領域の光学修正特性は、反射性、拡散性、光方向変換性、偏光性、反射偏光性、強度低下性、波長シフト性、および色減衰性のうち少なくとも１つである、請求項１〜１０のうちいずれか１項に記載の点灯アセンブリ。
【請求項１２】
前記第２の領域は鏡面透過性であるかまたは、前記第１の領域とは異なる、反射性、拡散性、光方向変換性、偏光性、反射偏光性、強度低下性、波長シフト性、および色減衰性のうち少なくとも１つである光学修正特性を有する、請求項１１に記載の点灯アセンブリ。
【請求項１３】
前記第１の領域は拡散性であり、前記第２の領域は鏡面透過性であるかまたは光方向変換性であるかまたは、
前記第１の領域は反射性であり、前記第２の領域は鏡面透過性であるかまたは光方向変換性であるかまたは、
前記第１の領域は反射性であり、前記第２の領域は拡散性である、請求項１に記載の点灯アセンブリ。
【請求項１４】
前記電球を機械的に取付け、かつ電力を受けるように構成されたベースと、
前記ベースに電気的に結合された光源とを備え、
前記光ガイドは光入力端縁を有し、前記光ガイドは前記ベースに結合され、前記光入力端縁において前記光源から光を受取るように配置され、光は全内部反射によって前記光ガイドに沿って伝搬する、電球として構成された請求項１〜１３のうちいずれか１項に記載の点灯アセンブリ。
【請求項１５】
電球であって、
前記電球を機械的に取付け、かつ電力を受けるように構成されたベースと、
前記ベースに電気的に結合された光源と、
対向する主面、光入力端縁、および前記光入力端縁に対向する遠位端縁を有する光ガイドとを備え、前記光ガイドは前記ベースに結合され、前記光入力端縁において前記光源から光を受取るように配置され、光は全内部反射によって前記光ガイドに沿って伝搬し、当該光の少なくともいくらかは前記主面の少なくとも一方を通って前記光ガイドから取出され、前記主面の当該少なくとも一方を通って取出されない光は前記遠位端縁に入射し、前記遠位端縁は、入射光がそこを通って前記光ガイドから出る第一の遠位端縁領域および第二の遠位端縁領域を含み、さらに、
主面が前記光ガイドの前記遠位端縁に並置される光学アジャスタを備え、前記光学アジャスタは第１のアジャスタ領域および第２のアジャスタ領域を有し、少なくとも前記第１のアジャスタ領域は光修正特性を有し、前記第一の遠位端縁領域から発せられた光を前記第１のアジャスタ領域と前記第２のアジャスタ領域との間で選択的に配分するように、前記光学アジャスタおよび前記第一の遠位端縁領域を互いに対して可変に位置決めすることができ、前記第１のアジャスタ領域に配分された光はその光修正特性によって修正され、したがって前記電球から出力される光の特徴は、前記光学アジャスタと前記第１の遠位端縁領域との相対的な位置決めに基づいて修正される、電球。
【国際調査報告】
2014508387.tif 000019
2014508387.tif 000020